【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
商用電源から供給される電力で動作する電気機器において、
前記商用電源に接続され、所定の負荷に電力を供給する第１の電力供給手段と、
前記第１の電力供給手段から供給される電力により充電され、充電された電力を前記所定の負荷へ供給する第２の電力供給手段と、
前記所定の負荷への電力供給元を、前記第１の電力供給手段と前記第２の電力供給手段の一方に切り換える切換手段と、
前記第２の電力供給手段が前記所定の負荷に電力供給を行っていない場合に、前記第１の電力供給手段から供給される電力により前記第２の電力供給手段を充電する充電手段と、
前記商用電源から前記電気機器へ供給される電流を測定する電流測定手段と、
前記電流測定手段により測定される電流が前記商用電源の所定の上限電流を越える場合に、前記所定の負荷への電力供給元を前記第２の電力供給手段側へ切り換えるように前記切換手段を制御する制御手段と、
を備えることを特徴とする電気機器。
【請求項２】
請求項１に記載の電気機器において、
前記所定の負荷は、前記電気機器に接続され間欠動作する負荷であることを特徴とする電気機器。
【請求項３】
請求項１または２に記載の電気機器において、
前記充電手段は、前記第１の電力供給手段から電力により前記第２の電力供給手段を充電するときの充電電流を制御する電流制御素子を有することを特徴とする電気機器。
【請求項４】
請求項１ないし３のいずれか１項に記載の電気機器において、
前記第２の電力供給手段の充電電圧を測定する充電電圧測定手段を備え、
前記制御手段は、前記充電電圧測定手段によって測定される電圧が所定値以下のときは前記所定の負荷への電力供給元を前記第二の電力供給手段へ切り換えるのを禁止するとともに、前記電流測定手段により測定される電流が前記上限電流以下になるように前記電気機器の動作を制御することを特徴とする電気機器。
【請求項５】
請求項４に記載の電気機器において、
前記制御手段は、前記第２の電力供給手段への充電電流を低下させるとにより前記電流測定手段により測定される電流が前記上限電流以下になるように制御することを特徴とする電気機器。
【請求項６】
請求項５に記載の電気機器において、
前記充電電流を低下させる量は、前記電流測定手段により測定される電流と前記上限電流の差分に基づいて決定されることを特徴とする電気機器。
【請求項７】
請求項１に記載の電気機器において、
前記電流測定手段により測定される電流が前記商用電源の上限電流よりも小さい所定値以下である場合、前記制御手段は、前記第１の電力供給手段が前記所定の負荷に電力供給するとともに前記第２の電力供給手段を充電するよう前記切換手段および前記充電手段を制御することを特徴とする電気機器。
【請求項８】
商用電源により動作し、画像読取装置を備える画像形成装置において、
前記画像読取装置に電力を供給する第１の電力供給手段と、
前記第１の電力供給手段から供給される電力により充電され、充電された電力を前記画像読取装置へ供給する第２の電力供給手段と、
前記画像読取装置への電力供給元を、前記第１の電力供給手段と前記第２の電力供給手段の一方に切り換える切換手段と、
前記第２の電力供給手段が前記画像読取装置に電力供給を行っていない場合に、前記第１の電力供給手段から供給される電力により前記第２の電力供給手段を充電する充電手段と、
前記商用電源から前記画像形成装置へ供給される電流を測定する電流測定手段と、
前記電流測定手段により測定される電流が、前記商用電源の上限電流を越える場合に、前記画像読取装置への電力供給元を前記第２の電力供給手段側へ切り換えるように前記切換手段を制御する制御手段と、
を備えることを特徴とする画像形成装置。
【請求項９】
請求項８に記載の画像形成装置において、
記録媒体上に形成したトナー画像を加熱定着する定着装置と、前記定着装置に電力を供給する定着電力供給手段とを備え、
前記制御手段は、前記定着電力供給手段が供給する電力を低下させることにより前記電流測定手段により測定される電流が前記上限電流以下になるように制御することを特徴とする画像形成装置。
【請求項１０】
請求項９に記載の画像形成装置において、
前記制御手段は、前記記録媒体の搬送間隔を広げることにより前記定着電力供給手段が供給する電力を低下させることを特徴とする画像形成装置。
【請求項１１】
請求項９に記載の画像形成装置において、
前記制御手段は、画像形成速度を低下させることにより前記定着電力供給手段が供給する電力を低下させることを特徴とする画像形成装置。
【請求項１２】
請求項８に記載の電気機器において、
前記電流測定手段により測定される電流が前記商用電源の前記上限電流よりも小さい所定値以下である場合、前記制御手段は、前記第１の電力供給手段が前記画像読取装置に電力供給するとともに前記第２の電力供給手段を充電するよう前記切換手段および前記充電手段を制御することを特徴とする画像形成装置。
【手続補正２】
【補正対象書類名】明細書
【補正対象項目名】００１７
【補正方法】変更
【補正の内容】
【００１７】
前記課題を解決するため、本発明では、電気機器および画像形成装置を次の（１）または（２）のとおりに構成する。
【手続補正３】
【補正対象書類名】明細書
【補正対象項目名】００１８
【補正方法】変更
【補正の内容】
【００１８】
（１）商用電源から供給される電力で動作する電気機器において、前記商用電源に接続され、所定の負荷に電力を供給する第１の電力供給手段と、前記第１の電力供給手段から供給される電力により充電され、充電された電力を前記所定の負荷へ供給する第２の電力供給手段と、前記所定の負荷への電力供給元を、前記第１の電力供給手段と前記第２の電力供給手段の一方に切り換える切換手段と、前記第２の電力供給手段が前記所定の負荷に電力供給を行っていない場合に、前記第１の電力供給手段から供給される電力により前記第２の電力供給手段を充電する充電手段と、前記商用電源から前記電気機器へ供給される電流を測定する電流測定手段と、前記電流測定手段により測定される電流が前記商用電源の所定の上限電流を越える場合に、前記所定の負荷への電力供給元を前記第２の電力供給手段側へ切り換えるように前記切換手段を制御する制御手段と、を備えることを特徴とする電気機器。
【手続補正４】
【補正対象書類名】明細書
【補正対象項目名】００１９
【補正方法】変更
【補正の内容】
【００１９】
（２）商用電源により動作し、画像読取装置を備える画像形成装置において、前記画像読取装置に電力を供給する第１の電力供給手段と、前記第１の電力供給手段から供給される電力により充電され、充電された電力を前記画像読取装置へ供給する第２の電力供給手段と、前記画像読取装置への電力供給元を、前記第１の電力供給手段と前記第２の電力供給手段の一方に切り換える切換手段と、前記第２の電力供給手段が前記画像読取装置に電力供給を行っていない場合に、前記第１の電力供給手段から供給される電力により前記第２の電力供給手段を充電する充電手段と、前記商用電源から前記画像形成装置へ供給される電流を測定する電流測定手段と、前記電流測定手段により測定される電流が、前記商用電源の上限電流を越える場合に、前記画像読取装置への電力供給元を前記第２の電力供給手段側へ切り換えるように前記切換手段を制御する制御手段と、を備えることを特徴とする画像形成装置。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】